(57)【要約】【課題】組立てが容易な構造を有するバックライトアセンブリ及びそれを含む表示装置を提供する。【解決手段】バックライトアセンブリは、回路基板及び回路基板上に実装された少なくとも一つの光源素子を含む光源ユニットと、光源ユニットの両端に配置された導光板固定テープと、回路基板上に複数の光源素子と隣接して配置され、複数の光源素子から提供される光をガイドする導光板と、を備え、導光板の一部は導光板固定テープの少なくとも一部に接着される。【選択図】図１
2011159627.tif 000002
【特許請求の範囲】
【請求項１】
回路基板及び該回路基板上に実装された少なくとも一つの光源素子を含む光源ユニットと、
前記光源ユニットの両端に配置された導光板固定テープと、
前記回路基板上に前記複数の光源素子と隣接して配置され、前記複数の光源素子から提供される光をガイドする導光板と、を備え、
前記導光板の一部は前記導光板固定テープの少なくとも一部に接着されることを特徴とするバックライトアセンブリ。
【請求項２】
前記導光板は、前記光が流入する入光部と該入光部の反対側に定義される対光部とを含み、前記導光板固定テープは、前記導光板の入光部の両終端に前記回路基板と実質的に同一である平面上に配置されることを特徴とする請求項１に記載のバックライトアセンブリ。
【請求項３】
内部に前記光源ユニット及び前記導光板が配置される下部収納容器を更に含み、前記導光板固定テープは前記下部収納容器と前記導光板との間に介在して、前記導光板が前記入光部側に固定されるようにすることを特徴とする請求項１に記載のバックライトアセンブリ。
【請求項４】
前記下部収納容器は、床面、該床面から垂直方向に折り曲げられて延長された側壁部、及び該側壁部から該下部収納容器の内部方向に垂直に折り曲げられて延長されたベンディング部を含み、
前記下部収納容器の側壁部から前記下部収納容器のベンディング部の終端までの第１距離は、前記下部収納容器の側壁部から前記光源ユニットの前記複数の光源素子の前記導光板側の終端までの第２距離より短いことを特徴とする請求項３に記載のバックライトアセンブリ。
【請求項５】
前記側壁部及びベンディング部によって形成された挿入空間内に挿入され、前記導光板及び前記複数の光源素子を上側から固定する第１モールドフレームと、
前記第１モールドフレームの両終端と結合され、前記下部収納容器の内側壁に沿ってＵ字形状で形成された第２モールドフレームと、を更に含むことを特徴とする請求項４に記載のバックライトアセンブリ。
【請求項６】
前記導光板と前記下部収納容器との間に、前記光源ユニットの回路基板と並んで配置される反射シートを更に含み、
前記導光板固定テープの厚さは、前記下部収納容器の内部床面から前記光源ユニットの回路基板の上面までの第１厚さと、前記下部収納容器の内部床面から前記反射シートの上面までの第２厚さより厚いことを特徴とする請求項３に記載のバックライトアセンブリ。
【請求項７】
光が流入する入光部と該入光部の反対側に定義される対光部とを含む導光板、内部に前記導光板が配置される下部収納容器、及び前記導光板の入光部の両終端に対応する下面と前記下部収納容器との間に介在して前記導光板を前記下部収納容器内に固定させる導光板固定テープを含むバックライトアセンブリと、
前記バックライトアセンブリから提供される前記光の提供を受けて映像情報を表示する表示パネルと、を備えることを特徴とする表示装置。
【発明の詳細な説明】
【技術分野】
【０００１】
本発明は、バックライトアセンブリ及びそれを含む表示装置に関し、より詳細には、組み立てが容易な構造を有するバックライトアセンブリ及びそれを含む表示装置に関するものである。
【背景技術】
【０００２】
表示装置、例えば液晶表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）のうちの一つであって、電極が形成された２枚の基板とその間に挿入されている液晶層で形成され、電極に電圧を印加して液晶層の液晶分子を再配列させることによって透過する光の量を調節して映像を表示する装置である。
【０００３】
このような表示装置は、それ自体が非発光素子であるため、映像を表示するためには発光素子である光源を含むバックライトアセンブリを含まなければならない。バックライトアセンブリは、表示パネルの後面から光を照射し、表示パネル全体に略均一に光を提供する。このようなバックライトアセンブリは光を放出する光源の位置に応じて直下型とエッジ型に区分される。直下型は光源を表示パネルの真下に位置させる方式であり、エッジ型は光源を側面に位置させて導光板を利用して光を表示パネル全体に光を伝達する方式である。
【発明の概要】
【発明が解決しようとする課題】
【０００４】
本発明は、上記従来技術に鑑みてなされたものであって、本発明の目的は、組立てが容易な構造を有するバックライトアセンブリを提供することにある。
【０００５】
本発明の他の目的は、組立てが容易な構造を有するバックライトアセンブリを含む表示装置を提供することにある。
【課題を解決するための手段】
【０００６】
上記目的を達成するためになされた本発明の一特徴によるバックライトアセンブリは、回路基板及び該回路基板上に実装された少なくとも一つの光源素子を含む光源ユニットと、前記光源ユニットの両端に配置された導光板固定テープと、前記回路基板上に前記複数の光源素子と隣接して配置され、前記複数の光源素子から提供される光をガイドする導光板と、を備え、前記導光板の一部は前記導光板固定テープの少なくとも一部に接着される。
【０００７】
前記導光板は、前記光が流入する入光部と該入光部の反対側に定義される対光部とを含み、前記導光板固定テープは、前記導光板の入光部の両終端に前記回路基板と実質的に同一である平面上に配置することができる。
内部に前記光源ユニット及び前記導光板が配置される下部収納容器を更に含み、前記導光板固定テープは前記下部収納容器と前記導光板との間に介在して、前記導光板が前記入光部側に固定されるようにすることができる。
前記下部収納容器は、床面、該床面から垂直方向に折り曲げられて延長された側壁部、及び該側壁部から該下部収納容器の内部方向に垂直に折り曲げられて延長されたベンディング部を含み、前記下部収納容器の側壁部から前記下部収納容器のベンディング部の終端までの第１距離は、前記下部収納容器の側壁部から前記光源ユニットの前記複数の光源素子の前記導光板側の終端までの第２距離より短いことが好ましい。
前記側壁部及びベンディング部によって形成された挿入空間内に挿入され、前記導光板及び前記複数の光源素子を上側から固定する第１モールドフレームと、前記第１モールドフレームの両終端と結合され、前記下部収納容器の内側壁に沿ってＵ字形状で形成された第２モールドフレームと、を更に含むことができる。
前記導光板と前記下部収納容器との間に、前記光源ユニットの回路基板と並んで配置される反射シートを更に含み、前記導光板固定テープの厚さは、前記下部収納容器の内部床面から前記光源ユニットの回路基板の上面までの第１厚さと、前記下部収納容器の内部床面から前記反射シートの上面までの第２厚さより厚いことが好ましい。
【０００８】
上記他の目的を達成するためになされた本発明の一特徴による表示装置は、光が流入する入光部と該入光部の反対側に定義される対光部とを含む導光板、内部に前記導光板が配置される下部収納容器、及び前記導光板の入光部の両終端に対応する下面と前記下部収納容器との間に介在して前記導光板を前記下部収納容器内に固定させる導光板固定テープを含むバックライトアセンブリと、前記バックライトアセンブリから提供される前記光の提供を受けて映像情報を表示する表示パネルと、を備える。
本発明のその他の具体的な内容は詳細な説明及び図面に含まれる。
【発明の効果】
【０００９】
本発明によれば、導光板固定テープを導光板の入光部に配置することによって導光板と光源ユニットの間の距離を一定に維持することができ、導光板と光源ユニットを極力近接するように組み立てできる長所がある。また、ベンディング部の終端の長さを相対的に短く形成することによって導光板と光源ユニットの間の距離を直接確認しながら組み立てることができ、組立ての効率をはるかに向上させることができる。
【図面の簡単な説明】
【００１０】
【図１】本発明の一実施形態による表示装置の斜視図である。
【図２】図１に示すバックライトアセンブリをＩ−Ｉ’線に沿って切断した断面図である。
【図３】図１に示す下部収納容器内の光源ユニット、導光板固定テープ、及び反射シートの配置関係を説明するための一部平面図である。
【図４】図３に示す導光板固定テープの形状を説明するための断面図である。
【図５】図１に示す下部収納容器、光源ユニット、導光板固定テープ、及び反射シートの配置関係を説明するための平面図である。
【図６】（ａ）及び（ｂ）は各々左側及び右側の導光板固定テープと光源ユニットの配置関係を説明するための図５の部分拡大図である。
【図７】下部収納容器内部に導光板及び光源ユニットが配置された状態を説明するための側断面図である。
【図８】（ａ）及び（ｂ）は図１に示す下部収納容器と第１モールドフレームの結合構造を説明するための部分斜視図である。
【図９】第１モールドフレーム、第２モールドフレーム、及び下部収納容器の結合状態を説明するための斜視図である。
【図１０】第１モールドフレームと第２モールドフレームの結合関係を説明するための部分斜視図である。
【図１１】（ａ）は導光板固定テープを適用した場合の輝度分布、（ｂ）は導光板固定テープを適用していない場合の輝度分布を測定した図である。
【発明を実施するための形態】
【００１１】
本発明の利点及び特徴、またそれらを達成する方法は、添付した図面と共に詳細に後述する実施形態を参照することにより明確になるであろう。しかし、本発明は以下に開示する実施形態に限定されるものではなく、異なる多様な形態で具現することができ、単に本実施形態は本発明の開示を完全にし、本発明が属する技術分野で通常の知識を有する者に発明の範疇を開示するためのものである。明細書全体に亘る同一参照符号は同一構成要素を指すものとする。
【００１２】
素子（ｅｌｅｍｅｎｔｓ）又は層が異なる素子、又は層「上（ｏｎ）」と記載しているものは、他の素子の真上と、他の素子の真上だけではなく中間に他の層又は他の素子を介在した場合を全て含む。反面、素子が「直接の上（ｄｉｒｅｃｔｌｙ  ｏｎ）」と記載するものは、中間に他の素子又は層を介在しないものを示す。「及び／又は」は言及するアイテムの各々及び１つ以上の全ての組み合わせを含む。
【００１３】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示しているように、１つの素子又は構成要素と異なる素子、又は構成要素との相関関係を容易に記述するために使用することがある。空間的に相対的な用語は図面に示している方向に加えて、使用時又は動作時の素子の異なる方向を含む用語として理解しなければならない。
【００１４】
本明細書で記述する実施形態は、本発明の理想的な概略図である断面図を参照して説明するものである。従って、製造技術及び／又は許容誤差などによって例示図の形態を変形してもよい。従って、本発明の実施形態は図示した特定形態に制限されるものではなく、製造工程によって生成される形態の変化も含むものである。従って、図面に例示した領域は概略的な属性を有し、図面に例示した領域の形状は素子の領域の特定形態を例示するためのものであり、発明の範疇を制限するためものではない。
【００１５】
以下、本発明のバックライトアセンブリ及びこれを含む表示装置を実施するための形態の具体例を、図面を参照しながら詳細に説明する。
【００１６】
先ず、図１及び図２を参照して本発明の一実施形態による表示装置について簡略に説明する。図１は、本発明の一実施形態による表示装置の斜視図であり、図２は、図１に示すバックライトアセンブリをＩ−Ｉ’線に沿って切断した断面図である。
【００１７】
図１に示すように、本実施形態による表示装置１００は、上部収納容器１１０、表示パネル１２０、及びバックライトアセンブリ１９０を含み、バックライトアセンブリ１９０は、光学シート１４０、モールドフレーム１８０、導光板１５０、光源ユニット１７０、反射シート１６０、導光板固定テープ１６５、及び下部収納容器１１５を含む。
【００１８】
表示パネル１２０は、ゲートライン（図示せず）及びデータライン（図示せず）と薄膜トランジスタアレイ、画素電極などを含む下部表示板１２２と、ブラックマトリックス（ｂｌａｃｋ  ｍａｔｒｉｘ）、共通電極などを含み、下部表示板１２２に対向するように配置された上部表示板１２４を含む。一実施形態において、下部表示板１２２上にブラックマトリックス、共通電極などが形成されてもよい。このような表示パネル１２０は光源ユニット１７０から光の提供を受けて映像情報を表示することができる。一実施形態において、表示パネル１２０の上面及び下面上に偏光フィルム（図示せず）が各々配置されてもよい。
【００１９】
上部収納容器１１０は、表示装置１００の外観を形成し、内部に表示パネル１２０が収納される空間が形成される。このような上部収納容器１１０の中央部には表示パネル１２０を外部に露出させる開放窓が形成される。上部収納容器１１０は下部収納容器１１５と結合される。
【００２０】
下部収納容器１１５は、床面１１５ａと、床面１１５ａから垂直方向に折り曲げられて延長された側壁部１１５ｂを含み、側壁部１１５ｂの一部から下部収納容器１１５の内部方向に実質的に垂直に折り曲げられて延長されたベンディング部１１５ｃを含む。言い換えると、下部収納容器１１５は床面１１５ａからＵ字形状で折り曲げられた折曲部１１５ａ、１１５ｂ、１１５ｃを含む。
【００２１】
下部収納容器１１５の折曲部１１５ａ、１１５ｂ、１１５ｃは、下部収納容器１１５の少なくとも一部に形成される。例えば、図面に示すように、下部収納容器１１５が長方形の形状を有する場合、長方形形状の４つの辺のうちの少なくとも一つの辺、例えば光源ユニット１７０が配置される側の辺に折曲部１１５ａ、１１５ｂ、１１５ｃが形成される。下部収納容器１１５の折曲部１１５ａ、１１５ｂ、１１５ｃにより形成されたリセスされた空間内には、モールドフレーム１８０、例えば第１モールドフレーム１８１が配置される。
【００２２】
モールドフレーム１８０は、上部収納容器１１０と下部収納容器１１５の間に配置され、表示パネル１２０及び光学シート１４０を収納する。また、モールドフレーム１８０は第１モールドフレーム１８１と第２モールドフレーム１８５を含む。第１モールドフレーム１８１は折曲部１１５ａ、１１５ｂ、１１５ｃにより形成されたリセスされた空間内に挿入される。特に、第１モールドフレーム１８１は折曲部１１５ａ、１１５ｂ、１１５ｃにより形成された空間内にスライディング（ｓｌｉｄｉｎｇ）方式で組み立てられる。このとき、第１モールドフレーム１８１は導光板１５０及び複数の光源素子１７４を上側から固定する。
【００２３】
第２モールドフレーム１８５は、第１モールドフレーム１８１に対応する形状、例えば側路（ｓｉｄｅｗａｙｓ）に沿ってＵ字形状で形成される。第２モールドフレーム１８５の両終端は第１モールドフレーム１８１の両終端と結合され、下部収納容器１１５の内側壁に沿って配置される。図１に示すように、第１モールドフレーム１８１の両終端と第２モールドフレーム１８５の両終端は各々垂直段差部１８１ｓ、１８５ｓを含み、第１モールドフレーム１８１と第２モールドフレーム１８５の両端が互いに対応するように形成される。第１モールドフレーム１８１の両終端は第２モールドフレーム１８５の両終端と噛み合う構造で結合される。これについてのより詳細な説明は図１０を参照して説明する。
【００２４】
光学シート１４０は、導光板１５０から伝達される光を拡散して集光する役割をし、導光板１５０の上部に配置されて上部収納容器１１０及び下部収納容器１１５の内部に収納される。このような光学シート１４０は、第１プリズムシート、第２プリズムシート、保護シートなどを含む。
【００２５】
第１プリズムシート及び第２プリズムシートは、導光板１５０を通過した光を屈折させて、低い角度で入射する光を正面に集中させ、有効視野角範囲で液晶表示装置の明るさを向上させる役割をする。第１プリズムシート及び第２プリズムシートの上に形成される保護シートはプリズムシートの表面を保護する役割を果たすだけではなく、光の分布を均一にするために光を拡散させる役割を果たす。このような光学シート１４０の構成は、上の例に限定されるものではなく、表示装置１００の仕様に応じて多様に変更されてもよい。
【００２６】
導光板１５０は、下部収納容器１１５内部に、複数の光源素子１７４と隣接して配置され、複数の光源素子１７４から提供される光をガイドする。導光板１５０は、光源素子１７４から放出された光を各方向に拡散させ、光源素子１７４の配置によって明るい部分に現れる輝線が表示装置１００の前面から見えないようにする。
【００２７】
導光板１５０は、導光板固定テープ１６５ａ、１６５ｂによって光源ユニット１７０と隣接する側に固定される。言い換えると、導光板１５０は、複数の光源素子１７４から提供される光が流入する入光部と、実質的に入光部の反対側に定義される対光部を含み、導光板固定テープ１６５ａ、１６５ｂは、導光板１５０の入光部の両終端の下部収納容器１１５と導光板１５０の間に介在し、導光板１５０を下部収納容器１１５内に固定させる。このとき、導光板１５０の一部は導光板固定テープ１６５ａ、１６５ｂの少なくとも一部に接着される。
【００２８】
これによって、温度変化などのような周囲環境によって導光板１５０が膨張又は収縮する場合、導光板１５０は、光源ユニット１７０と隣接する側が導光板固定テープ１６５ａ、１６５ｂによって固定されるため、光源ユニット１７０の反対方向に膨張又は収縮する。従って、導光板１５０と光源ユニット１７０の間の距離を一定に維持することができ、輝度低下などの表示品質の問題が発生することを防止することができる。
【００２９】
光源ユニット１７０は、下部収納容器１１５内に配置され、回路基板１７２と、回路基板１７２の一面上に実装された一つ以上の光源素子１７４を含む。
【００３０】
一つ以上の光源素子１７４は、例えば、点光源であり得、例えば、発光ダイオード素子（Ｌｉｇｈｔ  Ｅｍｉｔｔｉｎｇ  Ｄｉｏｄｅ：ＬＥＤ）を使用してもよい。一つ以上の光源素子１７４は、回路基板１７２の一面上に一方向に延長されるが、互いに離隔されて形成されてもよい。ここで、一方向に延長するということは、光源素子１７４が配列された様相が一つの方向性を有することを意味するだけであり、一つのラインとして正確に整列されたものとして限定されないことは勿論である。また、一つ以上の光源素子１７４は点光源に限定されず、線光源などを適用することもできる。
【００３１】
一つ以上の光源素子１７４が実装された回路基板１７２は下部収納容器１１５内に配置される。即ち、下部収納容器１１５の内部床面１１５ａ上に回路基板１７２の下面が接するように配置される。例えば、図面に示すように、表示装置１００がエッジ型バックライトアセンブリ１９０を含む場合、光源ユニット１７０は下部収納容器１１５の片側に配置される。このとき、回路基板１７２の下面が下部収納容器１１５の内部床面１１５ａと接し、複数の光源素子１７４は回路基板１７２上に実装されて回路基板１７２と電気的に接続される。
【００３２】
反射シート１６０は、導光板１５０の下部に設置され、導光板１５０の下部に放出された光を上部に反射させる。反射シート１６０は光の損失を減らすと共に表示パネル１２０に入射する光の均一度を向上させる役割を果たす。反射シート１６０は、別途のシート形式で挿入してもよく、別途のシート形式ではない下部収納容器１１５に反射効率が高い物質を塗布して形成された反射パターンを形成してもよい。
【００３３】
導光板固定テープ１６５ａ、１６５ｂは光源ユニット１７０の両端に配置される。図１に示すように、導光板固定テープ１６５ａ、１６５ｂは光源ユニット１７０の回路基板１７２及び反射シート１６０と並んで配置される。ここで、導光板固定テープ１６５ａ、１６５ｂ、回路基板１７２、及び反射シート１６０が並んで配置されるということは、実質的に同一である平面上に配置されることを意味する。これらの配置関係についてのより詳細な説明は図３〜図７を参照して後述する。
【００３４】
図２に示すように、下部収納容器１１５は、床面１１５ａ、側壁部１１５ｂ、及びベンディング部（ｂｅｎｄｉｎｇ  ｐｏｒｔｉｏｎ）１１５ｃを含み、このような折曲部１１５ａ、１１５ｂ、１１５ｃによって形成された空間に第１モールドフレーム１８１が挿入される。このとき、下部収納容器１１５内部には光源ユニット１７０及び導光板１５０が配置され、第１モールドフレーム１８１は導光板１５０と光源ユニット１７０を上側から固定する役割を果たす。
【００３５】
更に、下部収納容器１１５の側壁部１１５ｂとベンディング部１１５ｃが接する領域に一つ以上の結合穴が形成され、第１モールドフレーム１８１にこれに対応する結合突出部１８１ｈが形成され、第１モールドフレーム１８１が下部収納容器１１５に、より安定的に結合されるようにする。図面で示していないが、結合突出部１８１ｈは、第１モールドフレーム１８１だけではなく、第２モールドフレーム１８５にも一つ以上形成され、下部収納容器１１５もこれに対応する結合穴を含み、第２モールドフレーム１８５と安定的に結合される。
【００３６】
他の実施形態において、導光板１５０と回路基板１７２の間に配置され、反射シート１６０と下部収納容器１１５の間に延長される反射テープ２１０を更に含んでもよい。このような反射テープ２１０は複数の発光素子から出射される光が導光板１５０に入光できるように助ける役割を果たす。
【００３７】
また第１モールドフレーム１８１は、下部収納容器１１５の折曲部１１５ａ、１１５ｂ、１１５ｃの終端から下部収納容器１１５の内部に突出して形成された延長部を含んでもよく、延長部上にパネルクッション２２０が形成され、表示パネル１２０がより安定的に第１モールドフレーム１８１上に配置されるようにすることができる。
【００３８】
続いて、図３〜図７を参照してバックライトアセンブリを形成する光源ユニット１７０、導光板固定テープ１６５ａ、１６５ｂ、導光板１５０、及び下部収納容器１１５の結合関係について詳細に説明する。図３は、図１に示す下部収納容器１１５内の光源ユニット１７０、導光板固定テープ１６５ａ、１６５ｂ、及び反射シート１６０の配置関係を説明するための一部平面図であり、図４は、図３に示す導光板固定テープの構造を説明するための断面図である。図５は、図１に示す下部収納容器１１５、光源ユニット１７０、導光板固定テープ１６５ａ、１６５ｂ、及び反射シート１６０の配置関係を説明するための平面図であり、図６（ａ）及び（ｂ）は、各々左側及び右側の導光板固定テープ１６５ａ、１６５ｂと光源ユニット１７０の配置関係を説明するための図５の部分拡大図である。図７は、下部収納容器１１５内部に導光板１５０及び光源ユニット１７０が配置された状態を説明するための側断面図である。
【００３９】
先ず、図３を参照すると、複数の光源素子１７４が実装された回路基板１７２が下部収納容器１１５の内部床面１１５ａ上に配置され、光源ユニット１７０の回路基板１７２の両端に導光板固定テープ１６５ａ、１６５ｂが配置される。回路基板１７２と導光板固定テープ１６５ａ、１６５ｂが配置される領域を考慮し、下部収納容器１１５の内部床面１１５ａの残りの領域上に反射シート１６０が配置される。ここで、「残りの領域」とは、光源素子１７４から提供される光の到達領域を考慮して反射シート１６０を配置するのに適切な領域を意味し、下部収納容器１１５の内部床面１１５ａのうちの回路基板１７２及び導光板固定テープ１６５ａ、１６５ｂが配置されない領域の「全て」を意味するものではない。
【００４０】
即ち、図３に示すように、反射シート１６０及び導光板固定テープ１６５ａ、１６５ｂの外側に下部収納容器１１５の内部床面１１５ａの一部が露出してもよい。反射シート１６０、導光板固定テープ１６５ａ、１６５ｂ、及び回路基板１７２によって露出する下部収納容器１１５の内部床面１１５ａの幅及び広さは、下部収納容器１１５の内部に配置される導光板１５０又は第１モールドフレーム１８１などを考慮して決められる。
【００４１】
他の実施形態において、回路基板１７２上に形成され、反射シート１６０の下部、即ち反射シート１６０と下部収納容器１１５の間に延長されて形成された反射テープ２１０を更に含んでもよい。
【００４２】
図４を参照すると、導光板固定テープ１６５は多層のフィルムを含んでもよい。例えば、導光板固定テープ１６５は、ベースフィルム１６７、ベースフィルム１６７の上面及び下面に形成された接着フィルム１６６、１６８を含む。ベースフィルム１６７として反射率が異なるフィルムを使用して導光板固定テープ１６５に流入する光の反射率を調節することができる。例えば、ベースフィルム１６７の色相を調節することによって導光板固定テープ１６５の周辺領域の輝度を調節することができる。
【００４３】
導光板固定テープ１６５は、導光板１５０の終端の隅領域に配置され、光源素子１７４から放出された光を隠すことなく、導光法則が破られると共に光の散乱現象が発生するようにすることができる。これによって発生し得る導光板１５０の隅の光漏れの量を調節して暗部を改善させる役割をすることができる。
【００４４】
続いて、図５〜図６を参照して導光板固定テープ１６５ａ、１６５ｂの形状及びサイズについて説明する。
【００４５】
図５は、図１に示す下部収納容器１１５と導光板固定テープ１６５ａ、１６５ｂの配置関係を説明するための平面図であり、図６（ａ）及び（ｂ）は、図５に示すＡ、Ｂ領域を各々拡大した拡大図である。
【００４６】
図５及び図６に示すように、導光板固定テープ１６５ａ、１６５ｂは下部収納容器１１５の内部床面１１５ａ上に配置される。例えば、導光板固定テープ１６５ａ、１６５ｂの下面が下部収納容器１１５の内部床面１１５ａと直接接着され、導光板固定テープ１６５ａ、１６５ｂの上面が導光板１５０と直接接着される。
【００４７】
上述したように、導光板固定テープ１６５ａ、１６５ｂは上面及び下面に接着フィルムが形成され、両面接着テープの役割をする。従って、導光板固定テープ１６５ａ、１６５ｂは下部収納容器１１５と接着され、導光板固定テープ１６５ａ、１６５ｂ上に配置される導光板１５０と接着される。言い換えると、導光板固定テープ１６５ａ、１６５ｂの下面は下部収納容器１１５と接着され、導光板固定テープ１６５ａ、１６５ｂの上面は導光板１５０と接着される。これによって、導光板１５０は下部収納容器１１５内部に固定配置される。
【００４８】
図６（ａ）及び（ｂ）に示すように、導光板固定テープ１６５ａ、１６５ｂは光源素子１７４から放出される光を隠さないように配置される。このため、導光板固定テープ１６５ａ、１６５ｂは、図面に示すように、片方の隅を削いだ（ｃｈａｍｆｅｒ）形状を有する。ここで、片側の隅を削ぐということは、光源素子１７４から出力される光によって定義されるアクティブ領域、例えば、光源素子１７４から放出される光の点線で表示された領域を考慮して導光板固定テープ１６５ａ、１６５ｂの形状を決定する。
【００４９】
例えば、図６（ａ）を参照すると、左側の導光板固定テープ１６５ａは、最も左側の光源素子１７４から放出される光によって定義されたアクティブ領域の外郭線、即ち点線を考慮し、導光板固定テープ１６５ａの右上側隅を削いだ形状を有する。同様に、図６（ｂ）を参照すると、右側の導光板固定テープ１６５ｂは、最も右側の光源素子１７４から放出される光によって定義されたアクティブ領域の外郭線、即ち点線を考慮し、導光板固定テープ１６５ｂの左上側隅を削いだ形状を有する。特に、削られた隅はアクティブ領域内部の第１導光板固定テープ及び第２導光板固定テープ１６５ａ、１６５ｂの総面積を減少させる。
【００５０】
導光板固定テープ１６５ａ、１６５ｂは複数の光源素子１７４から放出される光によって定義されるアクティブ領域の外側に配置されてもよい。更に、図面では左側及び右側に配置された導光板固定テープ１６５ａ、１６５ｂの幅が互いに異なるように図示しているが、一実施形態において、左側及び右側の導光板固定テープ１６５ａ、１６５ｂの幅を同一に形成することができるのは勿論である。
【００５１】
続いて、図７を参照して、光源ユニット１７０と下部収納容器１１５の間の配置関係について説明する。
【００５２】
上述したように、導光板１５０の入光部側に光源ユニット１７０が配置され、下部収納容器１１５は、床面１１５ａ、側壁部１１５ｂ、及びベンディング部１１５ｃを含む。ここで、下部収納容器１１５の側壁部１１５ｂの内側壁から下部収納容器１１５のベンディング部１１５ｃの終端までの第１距離Ｄ３は、下部収納容器１１５の側壁部１１５ｂの内側壁から光源ユニット１７０の複数の光源素子１７４の導光板１５０側終端までの第２距離Ｄ２より短い。
【００５３】
言い換えると、下部収納容器１１５は床面１１５ａからＵ字形状で折り曲げられた折曲部１１５ａ、１１５ｂ、１１５ｃを含み、光源ユニット１７０の複数の光源素子１７４の導光板１５０側終端は、折曲部１１５ａ、１１５ｂ、１１５ｃの終端より下部収納容器１１５の内部側に突出して配置される。
【００５４】
これによって、導光板固定テープ１６５上に導光板１５０を接着させる際、導光板１５０と光源素子１７４の間の距離を肉眼で確認することができ、導光板１５０と光源素子１７４の間の距離調節が更に正確になる長所がある。また、先立って説明したように、導光板固定テープ１６５は、導光板１５０の入光部の両終端に、下部収納容器１１５と導光板１５０の間に介在し、導光板１５０を入光部側に固定させるため、対光部側に導光板１５０を固定させる場合より導光板１５０と光源素子１７４の間の距離変化を最小化させることができる。
【００５５】
言い換えると、下部収納容器１１５の折曲部１１５ａ、１１５ｂ、１１５ｃの終端から複数の光源素子１７４の導光板１５０側終端が下部収納容器１１５の内部側に相対的に更に突出して配置されることによって、導光板１５０を配置する際、光源素子１７４と導光板１５０の隔離距離を肉眼で直接確認することができる。一実施形態において、光源素子１７４と導光板１５０の間の離隔距離は０であってもよく、これは直接コンタクトすることを意味する。
【００５６】
更に、導光板固定テープ１６５は、光源ユニット１７０の回路基板１７２の両側に配置され、導光板１５０を固定し、導光板１５０を入光部側に固定する。これによって、上述したように、例えば、温度変化などの外部環境に変化があっても、導光板１５０は導光板固定テープ１６５により固定された入光部ではない対光部側に収縮又は膨張するようになる。従って、導光板１５０の入光部と光源素子１５４の出光部の距離がほぼ一定に維持され、表示品質を向上させることができる長所がある。
【００５７】
再び図７を参照すると、導光板固定テープ１６５は下部収納容器１１５の内部床面１１５ａから導光板１５０の下面までの距離Ｄ１と同一の厚さで形成される。他の実施形態において、導光板固定テープ１６５の厚さは下部収納容器１１５の内部床面１１５ａから光源ユニット１７０の回路基板１７２上面までの第１厚さより厚く形成されてもよい。また他の実施形態において、導光板固定テープ１６５の厚さは下部収納容器１１５の内部床面１１５ａから反射シート１６０の上面までの第２厚さより厚く形成されてもよい。
【００５８】
続いて、図８（ａ）及び（ｂ）を参照して下部収納容器１１５と第１モールドフレーム１８１の結合構造について更に詳細に説明する。図８（ａ）及び（ｂ）は、図１に示す下部収納容器と第１モールドフレームの結合構造を説明するための部分斜視図である。
【００５９】
図８（ａ）及び（ｂ）に示すように、第１モールドフレーム１８１は折曲部１１５ａ、１１５ｂ、１１５ｃによって形成された空間内に、スライディング（ｓｌｉｄｉｎｇ）方式で組み立てられる。即ち、第１モールドフレーム１８１は下部収納容器１１５の側壁部１１５ｂに第１モールドフレーム１８１の側壁が接するように組み立てられる。このとき、下部収納容器１１５の側壁部１１５ｂと第１モールドフレーム１８１の側壁が接することは、物理的に完全に接することだけではなく、ほぼ隣接するように配置されて実質的に対面していることを意味し得る。
【００６０】
図面に示すように、下部収納容器１１５のベンディング部１１５ｃには少なくとも一つの開口部１５１ｈが形成され、第１モールドフレーム１８１の結合突出部１８１ｈと締結されて固定される。また、下部収納容器１１５の側壁部１１５ｂに少なくとも一つの結合穴１５１ｉが形成され、第１モールドフレーム１８１の結合用フックと締結される。
【００６１】
このように、第１モールドフレーム１８１をスライディング方式で下部収納容器１１５と結合させることによって、表示装置の組立ての工程が単純化される長所がある。また、開口部１５１ｈと第１モールドフレーム１８１の結合突出部１８１ｈの結合により、下部収納容器１１５と第１モールドフレーム１８１が互いにより堅固に結合し、逆方向に分離することを防止することができる。
【００６２】
続いて、図９及び図１０を参照して第１モールドフレーム１８１、第２モールドフレーム１８５、及び下部収納容器１１５の結合関係について更に詳細に説明する。図９は、第１モールドフレーム、第２モールドフレーム、及び下部収納容器の結合状態を説明するための斜視図であり、図１０は、第１モールドフレームと第２モールドフレームの結合関係を説明するための部分斜視図である。
【００６３】
図９を参照すると、第１モールドフレーム１８１と第２モールドフレーム１８５が結合されて全体モールドフレーム１８０の形状を構成する。図面に示すように、光源ユニット（図７に示す１７０を参照）が配置された表示装置の一側、例えば下部側に配置された第１モールドフレーム１８１の両終端と下部収納容器１１５の内側壁に沿って配置された第２モールドフレーム１８５が結合されてモールドフレーム１８０が形成される。
【００６４】
図１０に示すように、第１モールドフレーム１８１の両終端と第２モールドフレーム１８５の両終端は各々垂直段差部１８１ａ、１８５ａを含む。言い換えると、第１モールドフレーム１８１の垂直段差部１８１ａと、第２モールドフレーム１８５の垂直段差部１８５ａが互いに噛み合う構造で結合される。このとき、他の実施形態において、垂直段差部１８１ａ、１８５ａが互いに上下リバースされた構造で形成されてもよい。
【００６５】
例えば、第１モールドフレーム１８１の両終端の垂直段差部１８１ａは上部領域の長さより下部領域の長さが長く形成され、下部収納容器１１５の内側壁と接する第１モールドフレーム１８１の外側壁がＬ字形状で形成される。これに対応して、第２モールドフレーム１８５の両終端の垂直段差部１８５ａは上部領域の長さより下部領域の長さが短く形成され、下部収納容器１１５の内側壁と接する第２モールドフレーム１８５の外側壁が逆さのＬ字形状で形成される。このように互いに対応する第１モールドフレーム１８１の垂直段差部１８１ａと第２モールドフレーム１８５の垂直段差部１８５ａが互いに噛み合わされて固定される。
【００６６】
言い換えると、第１モールドフレーム１８１の垂直段差部１８１ａは上部領域の長さより長く延長された下部領域の第１突出部を含み、第２モールドフレーム１８５の垂直段差部１８５ａは下部領域の長さより長く延長された上部領域の第２突出部を含み、第１突出部と第２突出部が互いにオーバーラップされて第１モールドフレーム１８１と第２モールドフレーム１８５を下部収納容器１１５上に固定させる。
【００６７】
説明の便宜のため、第１モールドフレーム１８１の垂直段差部１８１ａは下部領域が突出し、第２モールドフレーム１８５の垂直段差部１８５ａは上部領域が突出して形成された場合を例示的に説明したが、これに限定されないことは勿論である。即ち、例えば、第１モールドフレーム１８１の両終端の上部領域が突出し、第２モールドフレーム１８５の両終端の下部領域が突出して形成されてもよい。また、第１モールドフレーム１８１のいずれか一つの終端は上部領域が突出し、残りの一つの終端は下部領域が突出し、第２モールドフレーム１８５の両終端は第１モールドフレーム１８１の両終端に各々対応し、いずれか一つの終端は下部領域が、残りの一つの終端は上部領域が突出するように形成されてもよい。垂直段差部１８１ａ、１８５ａの突出形状は第１モールドフレーム１８１と第２モールドフレーム１８５が噛み合って結合される構造で形成される限り、いずれか一つの形状に限定されず、多様に変形して適用してもよい。
【００６８】
一実施形態において、第２モールドフレーム１８５の任意の位置に分離用穴１８５ｉを形成することで、第２モールドフレーム１８５を第１モールドフレーム１８１から更に容易に分離することができる。
【００６９】
本実施形態によるバックライトアセンブリ及びこれを含む表示装置によれば、導光板の少なくとも一側に導光板固定テープを使用して導光板を安定的に固定することができる。また、モールドフレームを２個の部品で製作し、第１モールドフレームは、スライディング方式で下部収納容器と組み立てて、光源ユニットと導光板を上側から固定することができ、第２モールドフレームは導光板全体を固定することができる。また、第１及び第２モールドフレームを噛み合う構造で結合して逆方向に離脱することを防止する。
【００７０】
また、導光板固定テープを導光板の入光部に配置することによって導光板と光源ユニットの間の距離を一定に維持することができ、導光板と光源ユニットを極力近接するように組み立てできる長所がある。また、ベンディング部の終端の長さを相対的に短く形成することによって導光板と光源ユニットの間の距離を直接確認しながら組み立てることができ、組立ての効率をはるかに向上させることができる。
【００７１】
更に、導光板固定テープのサイズと形状を調節することで、光源素子から放出される光を隠すことなく導光板終端の隅領域に配置された導光板固定テープによって散乱現象を発生させ得る。これによって、導光板の隅から光漏れを誘導すると共に、導光板固定テープの反射率を調節し、例えば導光板固定テープのベースフィルムを適切に選択し、光漏れの量を調節することによって導光板の隅に発生し得る暗部を改善することができる。
【００７２】
図１１（ａ）及び（ｂ）を参照して本実施形態による表示装置の輝度及び暗部分布を調べる。図１１（ａ）は、導光板固定テープを適用した場合の輝度分布を測定した図であり、図１１（ｂ）は、導光板固定テープを適用していない場合の輝度分布を測定した図である。輝度分布の測定はプロメトリック（Ｐｒｏｍｅｔｒｉｃ）という測定装備を使用した。図面の上側は光源素子が配置された部分である。
【００７３】
図１１（ａ）及び（ｂ）を参照すると、導光板固定テープを適用した場合、暗部として視認された隅の部分の輝度が相対的に向上したことを観察することができる。また、導光板固定テープを適用した図１１（ａ）の場合、最大輝度が２６０．３４８Ｃｄ／ｍ２で測定された反面、導光板固定テープを適用していない図１１（ｂ）の場合、最大輝度が２２３．４０２Ｃｄ／ｍ２で測定されたことから、導光板固定テープを適用した場合には輝度上昇が発生したことを観察することができた。
【００７４】
これは、導光板固定テープを適用した場合、導光板と光源素子の間の距離を一定に維持することができるだけではなく、極力隣接するように配置できる構造を有するため、入光効率が向上するからである。
【００７５】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００７６】
１００    表示装置
１１０    上部収納容器
１１５    下部収納容器
１１５ａ    下部収納容器の折曲部（床面）
１１５ｂ    下部収納容器の折曲部（側壁部）
１１５ｃ    下部収納容器の折曲部（ベンディング部）
１２０    表示パネル
１２２    下部表示板
１２４    上部表示板
１４０    光学シート
１５０    導光板
１５１ｉ    結合穴
１５１ｈ    開口部
１６０    反射シート
１６５、１６５ａ、１６５ｂ    導光板固定テープ
１６６、１６８    接着フィルム
１６７    ベースフィルム
１７０    光源ユニット
１７２    回路基板
１７４    光源素子
１８０    モールドフレーム
１８１    第１モールドフレーム
１８１ａ、１８１ｓ    第１モールドフレームの両終端の垂直段差部
１８１ｈ    結合突出部
１８５    第２モールドフレーム
１８５ａ、１８５ｓ    第２モールドフレームの両終端の垂直段差部
１８５ｉ    分離用穴
１９０    バックライトアセンブリ
２１０    反射テープ
２２０    パネルクッション
【図１】
2011159627.tif 000003
【図２】
2011159627.tif 000004
【図３】
2011159627.tif 000005
【図４】
2011159627.tif 000006
【図５】
2011159627.tif 000007
【図６】
2011159627.tif 000008
【図７】
2011159627.tif 000009
【図８】
2011159627.tif 000010
【図９】
2011159627.tif 000011
【図１０】
2011159627.tif 000012
【図１１】
2011159627.tif 000013